【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
複数の電気部品が配設されている基板と、前記基板を収容する基板収容部材と、前記基板収容部材の貼付面に貼付される情報表示体を備え、前記基板収容部材の貼付面には、前記情報表示体が貼付される貼付位置を指示する貼付指示部が設けられている遊技機であって、
前記貼付指示部は、前記情報表示体が前記貼付指示部で指示される貼付位置に貼付された状態において、前記情報表示体によって被覆されて視認し難くなるように構成されていることを特徴とする遊技機。
【請求項２】
請求項１に記載の遊技機であって、前記貼付指示部は、前記情報表示体の外縁と同じ外縁を有する領域内に、前記貼付面から突出して形成された凸部であることを特徴とする遊技機。
【請求項３】
請求項１に記載の遊技機であって、前記貼付指示部は、前記情報表示体の外縁と同じ外縁を有する領域内に、前記貼付面から窪んで形成された凹部であることを特徴とする遊技機。
【請求項４】
請求項１〜３のいずれかに記載の遊技機であって、
前記情報表示体には、情報を表示する表示部の外周に外周線が表示されており、
前記貼付指示部は、前記情報表示体に表示されている外周線と同じ形状の線に沿って形成されていることを特徴とする遊技機。
【手続補正２】
【補正対象書類名】明細書
【補正対象項目名】０００４
【補正方法】変更
【補正の内容】
【０００４】
第１発明は、請求項１に記載されたとおりの遊技機である。
請求項１に記載の遊技機は、
複数の電気部品が配設されている基板と、前記基板を収容する基板収容部材と、前記基板収容部材の貼付面に貼付される情報表示体を備え、前記基板収容部材の貼付面には、前記情報表示体が貼付される貼付位置を指示する貼付指示部が設けられている遊技機であって、
前記貼付指示部は、前記情報表示体が前記貼付指示部で指示される貼付位置に貼付された状態において、前記情報表示体によって被覆されて視認し難くなるように構成されていることを特徴とする。
【手続補正３】
【補正対象書類名】明細書
【補正対象項目名】０００５
【補正方法】変更
【補正の内容】
【０００５】
「基板収容部材」は、基板の少なくとも一部を覆うものを広く包含し、典型的には、基板ボックスとして構成される。
「情報表示体」は、例えば、基板収容部材に貼付するシールとして構成される。情報表示体の厚みは、その目的や仕様、後述する貼付指示部の外縁の大きさや高さ等により適宜選択される。「情報表示体」に表示する情報は、遊技機に関する情報であればよく、例えば、接続端子への配線の接続方法、遊技機の名称、回路基板の管理番号が表示される。
「貼付面」は、基板収容部材の表面（外側の面）でもよいし、基板収容部材の裏面（基板を収容している側の面）でもよい。「貼付面」が基板収容部材の表面である場合には、例えば、情報表示体は、情報が表示されている側の面（表示面）の裏面に粘着材が設けられ、当該裏面が粘着面となる。また、「貼付面」が基板収容部材の裏面である場合には、情報表示体は、表示面に粘着材が設けられ、当該表示面が粘着面となる。
「貼付指示部」の形状は、情報表示体を貼付する際に作業者が情報表示体の貼付位置を認識することができる形状であればよく、貼付面から突出する凸部あるいは貼付面から窪んでいる凹部として形成されている形状を広く包含する。凸部の形状としては、例えば、段差状の突出部（凸面）の形状、線状や点状の突起の形状を含む。また、凹部の形状としては、例えば、段差状の窪み（凹面）の形状、線状の溝や点状の孔の形状を含む。貼付指示部が凹面あるいは凸面である場合には、当該凹面あるいは凸面によって情報表示体の貼付領域（したがって、貼付位置）が指示される。もしくは、当該凹面あるいは凸面の外縁によって情報表示体の貼付位置が指示される。貼付指示部が線状や点状の突起あるいは線状の溝や点状の孔である場合には、突起あるいは溝や孔に囲まれた領域によって情報表示体の貼付領域（したがって、貼付位置）が指示される。もしくは、突起あるいは溝や孔を結んだ線によって情報表示体の貼付位置が指示される。
「貼付指示部が視認し難くなるように構成されている」という記載は、少なくとも遊技機が遊技場に設置された状態で、なおかつ、少なくとも情報表示体が貼付位置に貼付された状態において、貼付位置に貼付された情報表示体と貼付位置を指示する貼付指示部の相対的な位置の比較が困難であり、たとえ、情報表示体が傾いた状態で貼付位置に貼付されていても、傾いていることが両者の比較によって分かり難く構成されていることを意味する。
「貼付指示部」は、少なくとも情報表示体が貼付位置に貼付された状態において、貼付体によって被覆されて視認し難く（あるいは視認不能に）なるように構成されていればよいが、好ましくは、情報表示体が貼付位置に貼付されていない状態においては視認可能であり、情報表示体が貼付位置に貼付された状態において視認するのが困難（あるいは視認不能）となるように構成される。なお、情報表示体が不透明な部材で構成されていれば、情報表示体で被覆された貼付指示部が一層視認し難くなる。
請求項１に記載の遊技機では、情報表示体の貼付位置を指示する貼付指示部が貼付面に設けられている。これにより、作業者は、情報表示体を貼付する位置を容易に認識することができる。また、情報表示体が貼付位置に貼付された状態では、貼付指示部が視認し難く構成されている。これにより、情報表示体が貼付指示部に対して傾いていても、情報表示体が傾いていることを判別し難い。したがって、作業者は、従来技術ほど、情報表示体が傾かないように細心の注意を払う必要がなく、情報表示体の貼付作業が容易となる。
【手続補正４】
【補正対象書類名】明細書
【補正対象項目名】０００６
【補正方法】変更
【補正の内容】
【０００６】
第２発明は、請求項２に記載されたとおりの遊技機である。
請求項２に記載の遊技機は、請求項１に記載の遊技機であって、前記貼付指示部は、前記情報表示体の外縁と同じ外縁を有する領域内に、前記貼付面から突出して形成された凸部であることを特徴とする。
「凸部」は、段差状の突出部（凸面）、線状や点状の突起等を含む。凸部が凸面である場合には、当該凸面によって情報表示体の貼付領域（したがって、貼付位置）が指示される。もしくは、当該凸面の外縁によって情報表示体の貼付位置が指示される。凸部が線状や点状の突起である場合には、突起によって囲まれた領域によって情報表示体の貼付領域（したがって、貼付位置）が指示される。もしくは、突起を結んだ線によって情報表示体の貼付位置が指示される。
請求項２に記載の遊技機によれば、貼付指示部が貼付面より突出しているので、照明等の都合により視認し難い場所でも、作業者は、指等で触って確認することができる。
第３発明は、請求項３に記載されたとおりの遊技機である。
請求項３に記載の遊技機は、請求項１に記載の遊技機であって、前記貼付指示部は、前記情報表示体の外縁と同じ外縁を有する領域内に、前記貼付面から窪んで形成された凹部であることを特徴とする。
「凹部」とは、段差状の窪み（凹面）、線状の溝や点状の孔の形状を含む。凹部が凹面である場合には、当該凹面によって情報表示体の貼付領域（したがって、貼付位置）が指示される。もしくは、当該凹面の外縁によって情報表示体の貼付位置が指示される。凹部が線状の溝や点状の孔である場合には、溝や孔に囲まれた領域によって情報表示体の貼付領域（したがって、貼付位置）が指示される。もしくは、溝や孔を結んだ線によって情報表示体の貼付位置が指示される。
請求項３に記載の遊技機によれば、貼付指示部が貼付面より凹状の面（段差状の窪み）として構成されているので、情報表示体を貼付した状態において、隆起する部分がなく表面が汚れ難い。
第４発明は、請求項４に記載されたとおりの遊技機である。
請求項４に記載の遊技機は、請求項１〜３のいずれかに記載の遊技機であって、前記情報表示体には、情報を表示する表示部の外周に外周線が表示されており、前記貼付指示部は、前記情報表示体に表示されている外周線と同じ形状の線に沿って形成されていることを特徴とする。
「外周線」は、１周連続して表示されていなくてもよく、途中で途切れていてもよい。
「外周線と同じ形状の線に沿って形成される」という構成は、外周線に沿った線や点等、少なくとも外周線の一部に沿って貼付指示部が設けられていればよい。
請求項４に記載の遊技機によれば、作業者は、情報表示体を貼付指示部で示される貼付位置に貼付する際に、情報表示体の外周線と貼付指示部の形状を合わせるように貼付すればよいので、情報表示体を貼付位置に貼付し易い。また、貼付指示部が凸部として構成されている場合には、情報表示体を貼付位置に貼付した状態では、貼付指示部により隆起した部分が外周線と重なり、貼付指示部の存在がわかり難い。したがって、情報表示体が貼付指示部に対して傾いていても、情報表示体が傾いていることを一層判別し難い。